(57)【特許請求の範囲】
【請求項１】
軸孔の周囲の軸固定部に設けた割り溝の拡縮により、軸を着脱自在に固定すると共に、初期状態で前記軸固定部における軸孔の内周面が前記軸の外周面に密接するように形成された円筒状のハブと、
前記軸を前記軸孔に挿入可能なように、前記割り溝を拡開する拡開手段と
を備え、
前記ハブは、前記割り溝を締め付けて縮小させるための締結部材が螺合可能な締結用ねじ孔と、前記割り溝の一部と重なるように形成されて軸方向に延在する挿入孔とを有し、
前記拡開手段は、前記挿入孔に適合する略円柱状をなす間断部材と、前記締結用ねじ孔に螺入されて前記間断部材の押圧により前記割り溝の側面を間接的に押圧する押圧部材とを有し、
前記間断部材は、前記押圧部材に押圧される部位を切り欠いたＤ字状の断面を有し、前記挿入孔に挿入されることで前記締結用ねじ孔を間断させることを特徴とする軸継手。
【請求項２】
前記割り溝が、前記軸孔を挟み込んで直径方向に連なるように設けられた２つの割り溝であることを特徴とする請求項１に記載の軸継手。
【請求項３】
請求項１または請求項２に記載の軸継手の固定方法であって、
前記拡開手段により前記割り溝を拡開した状態で前記軸孔に前記軸を挿入する工程と、
前記拡開手段による拡開を解除して前記軸を仮固定する工程と
を有することを特徴とする軸継手の固定方法。
【請求項４】
請求項１または請求項２に記載の軸継手の製造方法であって、
前記軸の外径以下の第１の直径を有する下孔と前記割り溝とが形成された前記ハブの中間製品に対し、前記割り溝を拡開した状態で、前記下孔の内周面を、前記軸の外径より大きな第２の直径に切削する工程を有し、
前記割り溝の拡開は、前記第２の直径と前記軸の外径との差に基づき実施されることを特徴とする軸継手の製造方法。
【発明の詳細な説明】
【技術分野】
【０００１】
本発明は、２軸を連結して駆動側から従動側へ動力を伝達する軸継手並びにその固定方法及び製造方法に関する。
【背景技術】
【０００２】
従来、この種の軸継手のハブを軸に取り付ける方法として、例えば、ハブの軸方向端部に直径方向の割り溝を設け、ボルトの締め付けにより軸をクランプして固定する方法が知られている（例えば、特許文献１参照）。
【０００３】
【特許文献１】特開２００５−２７３７９０号公報（第３図）
【発明の開示】
【発明が解決しようとする課題】
【０００４】
ところで、上記特許文献１に記載のようなクランプ方式での取り付けを実施する場合、軸をハブの軸孔に人力にて容易に挿入可能なはめあいの寸法公差が適用されるので、固定前の軸孔と軸との間には幾分の隙間が生じるのが通常である。従って、ボルトを締め付けて軸をクランプした後に、その固定前の隙間分の軸心のずれが生じてしまう場合があった。この軸心のずれは、押しねじにより軸の外周面を押圧して固定する方法等においても同様に生じ得るものであり、高精度の回転の妨げになるだけでなく、振動及び騒音の発生や、摩耗や金属疲労による寿命低下を招き得る。特に、高速回転で使用する場合、そのような軸心のずれによる影響は顕著となる。
【０００５】
本発明者らは、鋭意検討の結果、上述の軸心のずれが、はめ合い公差による初期の隙間とボルト等による締め付け力による部材の弾性変形とにより生じ、特に、はめ合い公差による初期の隙間がその主因であることを見出した。
【０００６】
本発明は、このような従来技術の課題を鑑みて案出されたものであり、ハブを軸に取り付ける際に、はめ合い公差による隙間の影響を排除して軸心のずれを防止可能とする軸継手並びにその固定方法及び製造方法を提供することを主目的とする。
【課題を解決するための手段】
【０００７】
上記課題を解決するためになされた第１の発明は、軸孔の周囲の軸固定部に設けた割り溝の拡縮により、軸を着脱自在に固定する円筒状のハブを備えた軸継手であって、前記ハブは、初期状態で前記軸固定部における軸孔の内周面が前記軸の外周面に密接するように形成され、前記軸を前記軸孔に挿入可能なように、前記割り溝を拡開する拡開手段を備えた構成とする。
【０００８】
これによると、割り溝の拡開により軸固定部における軸孔を拡径させて軸を挿入した後に当該拡開を解除することで、軸固定部における軸孔（その少なくとも一部）と軸とを密接させて初期（即ち、ボルト等による割り溝の締め付け前）の隙間を実質的に生じさせないようにすることができる。従って、ハブを軸に取り付ける際に、はめ合い公差による隙間の影響を排除して軸心のずれを防止することが可能となる。
【０００９】
この場合、初期の隙間が生じないため、ボルト等により割り溝を締め付ける際の部材の弾性変形を抑えることができ、これに起因する軸心のずれを抑制することができるという利点もある。
【００１０】
上記課題を解決するためになされた第２の発明は、前記ハブは、前記割り溝を締め付けて縮小させるための締結部材が螺合可能な締結用ねじ孔を有し、前記拡開手段は、前記割り溝に挿入されて前記締結用ねじ孔を間断させる間断部材と、当該間断部材の押圧により前記割り溝の側面を間接的に押圧する押圧部材とを有する構成とすることができる。
【００１１】
これによると、押圧部材のねじ孔に対する螺入（ねじ込み）の程度（即ち、割り溝の側面に対する押圧力）を調節することで、割り溝の拡開及びその解除を容易に行うことができる。また、締結用ねじ孔を利用することで、押圧部材を螺入させるねじ孔を新たに設ける必用がないという利点もある。
【００１２】
上記課題を解決するためになされた第３の発明は、前記間断部材は、前記割り溝の一部と重なるように形成されて軸方向に延在する挿入孔に挿入されることで前記締結用ねじ孔を間断させる構成とすることができる。
【００１３】
これによると、簡易な構成により間断部材を割り溝に挿入した状態で保持することが可能となり、締結用ねじ孔を容易に間断させることができる。
【００１４】
上記課題を解決するためになされた第４の発明は、前記間断部材は、前記挿入孔に適合する略円柱状をなし、前記押圧部材に押圧される部位を切り欠いたＤ字状の断面を有する構成とすることができる。
【００１５】
これによると、間断部材が挿入孔に挿入された状態を安定的に保持可能となり、また、押圧部材の押圧部位を平面とすることで確実な押圧が可能となる。
【００１６】
上記課題を解決するためになされた第５の発明は、前記割り溝が、前記軸孔を挟み込んで直径方向に連なるように設けられた２つの割り溝である構成とすることができる。
【００１７】
これによると、軸に対する割り溝の締め付けを均一化することができるので、割り溝の締め付け力に起因する軸心のずれをより確実に抑制することが可能となる。
【００１８】
上記課題を解決するためになされた第６の発明は、上記第１乃至第５の発明のいずれかに係る軸継手の固定方法であって、前記拡開手段により前記割り溝を拡開した状態で前記軸孔に前記軸を挿入する工程と、前記拡開手段による拡開を解除して前記軸を仮固定する工程とを有する構成とする。
【００１９】
上記課題を解決するためになされた第７の発明は、軸孔の周囲の軸固定部に設けた割り溝の拡縮により、軸を着脱自在に固定する円筒状のハブを備えた軸継手の製造方法であって、前記軸の外径以下の第１の直径を有する下孔と前記割り溝とが形成された前記ハブの中間製品に対し、前記割り溝を拡開した状態で、前記下孔の内周面を、前記軸の外径より大きな第２の直径に切削する工程を有し、前記割り溝の拡開は、前記第２の直径と前記軸の外径との差に基づき実施される構成とする。
【００２０】
これによると、簡易な方法により、初期状態で軸固定部における軸孔の内周面が軸の外周面に密接するようにハブを形成することが可能となる。従って、製造された軸継手は、ハブを軸に取り付ける際に、はめ合い公差による隙間の影響を排除して軸心のずれを防止することが可能となる。
【発明の効果】
【００２１】
このように本発明によれば、ハブを軸に取り付ける際に、はめ合い公差による初期の隙間の影響を排除して軸心のずれを防止できるという優れた効果を奏し、特に、高速回転で使用する場合や、高精度の回転を必要とする場合に好適である。
【発明を実施するための最良の形態】
【００２２】
以下、本発明の実施の形態について図面を参照しながら説明する。
【００２３】
図１は、本発明に係る軸継手の分解斜視図である。軸継手１は、一対のハブ２ａ，２ｂと、その間に積層した複数枚の板ばね３とを備える。板ばね３は、例えば、耐食性を備えたステンレスばね綱を用いて形成され、長方形又は正方形の四隅を円弧状にした形状をなし、その中央部には軸を遊挿可能な開口を有する。
【００２４】
一対のハブ２ａ，２ｂは、同一の構造を有しており、それらを連結するための連結ボルト１１ａ，１１ｂを、板ばね３に設けた貫通孔１２を通して互いに相手側のハブの連結用ねじ孔１３ａ，１３ｂに螺合させることで連結される。これらのハブ２ａ，２ｂは、相対的に９０°回転させた位置で連結される。各ハブ２ａ，２ｂと板ばね３との間には、板ばね３の曲げのスペースを確保するためのカラー１４が差し込まれている。各連結ボルト１１ａ，１１ｂの頭部は、ハブ２ａ，２ｂが連結された状態において、各ハブ２ａ，２ｂに設けられた貫通孔１５ａ，１５ｂにそれぞれ挿脱可能となる。以下では、主としてハブ２ａに注目して説明を行うが、特に言及しない限りはハブ２ｂの場合も同様とする。
【００２５】
ハブ２ａは、ステンレスやアルミ合金等の金属材料を用いて、軸心に駆動軸または従動軸（図示せず）を装着するための軸孔２１を有する筒状体として形成される。ハブ２ａには、軸孔２１を挟み込んで直径方向に連なるように設けられた２つの割り溝２２と、周方向に沿って円弧状に延在する２つのスリット２３とが設けられている。ハブ２ａは、割り溝２２の拡縮により、軸を着脱自在に固定することが可能である。割り溝２２の深さ方向の先端部２２ａは、応力の緩和を目的として円弧状に形成されている。
【００２６】
また、ハブ２ａには、割り溝２２と直交する方向に延在する締結用ねじ孔２４が設けられている。ハブ２ａは、割り溝２２を有する軸固定部２５を、締結用ねじ孔２４に螺入される締結部材（図４の締結用ボルト４３参照）の締め付けにより弾性変形させる（即ち、割り溝を縮小させる）ことで、軸孔２１を縮径させて軸を固定する。端面に開口する挿入孔２６は、連結用ねじ孔１３ａの下孔として形成されたものであり、割り溝２２の一部と重なって軸方向に延在する。
【００２７】
軸継手１は、割り溝２２を拡開させるための拡開手段を備えている。本実施形態では、拡開手段は、挿入孔２６（割り溝２２）に挿入されて締結用ねじ孔２４を間断させるピン部材（間断部材）３１と、締結用ねじ孔２４に螺入されてピン部材３１を押圧することで割り溝２２の一側面を間接的に押圧する押しねじ（押圧部材）３２とから構成される。
【００２８】
ピン部材３１は、金属材料等により形成され、挿入孔２６に適合する略円柱状をなし、押しねじ３２に押圧される部位を切り欠いた略Ｄ字状の断面を有する。このピン部材３１を挿入孔２６に挿入することで、締結用ねじ孔２４を容易に間断させることができる。また、ピン部材３１を略Ｄ字状の断面とすることで、押しねじ３２の押圧部位を平面として確実な押圧が可能となる。加えて、ピン部材３１における押しねじ３２の押圧部位に疵が生じた場合でも、ピン部材３１が挿入孔２６から抜けなくなるというトラブルを回避できるといる利点もある。
【００２９】
なお、締結用ねじ孔２４を間断させる部材は、ピン部材３１に限定されるものではなく、例えば、割り溝２２に挿入可能な板状部材を用いてもよい。そのような板状部材は、割り溝２２から径方向に引き抜くことができる（即ち、軸方向の引き抜きスペースが不要）という利点がある。
【００３０】
また、上記のように押しねじ３２を締結用ねじ孔２４に螺入させる構成とすることで、新たにねじ孔を設ける必用もなく、簡易な構成により割り溝２２の拡開及びその解除を実現することができるという利点がある。
【００３１】
ハブ２ａの軸孔２１は、後述する製造方法により、軸が軸孔２１に挿入された場合に、割り溝２２の拡開が解除され且つ割り溝２２を締め付けない状態（初期状態）で、軸固定部２５における軸孔の内周面（その少なくとも一部）が軸の外周面に密接するように（即ち、軸孔と軸との間の隙間が実質的に生じないように）形成される。この場合、軸固定部２５以外の部位（即ち、スリット２３よりも板ばね３側にある部位）における軸孔と軸とは、すき間ばめ程度のはめ合いとすることができる。例えば、軸固定部２５以外の部位における軸孔は、ＪＩＳ(B0401)で規定されたｈ７の公差で加工した取り付け対象の軸に対して、Ｈ７の公差で加工したものとすることができる。このような構成により、割り溝２２の拡開により軸固定部２５における軸孔を拡径させて軸を挿入した後に当該拡開を解除することで、軸固定部２５における軸孔（その少なくとも一部）と軸との初期（即ち、割り溝の締め付け前）の隙間を実質的に生じさせないようにすることができる。
【００３２】
図２〜図４は、軸継手に軸を固定する一連の工程を示す図である。
【００３３】
図２は、割り溝２２を拡開した状態のハブ２ａの軸孔２１に軸４１を挿入する工程を示している。軸継手１は、図１に示した状態からハブ２ａ，２ｂを連結して組み立てられる。このとき、図５の断面図に示すように、ピン部材３１が挿入孔２６に挿入され、押しねじ３２が締結用ねじ孔２４に螺入されてピン部材３１の切欠き面３１ａを押圧した状態にある。この押圧により、軸固定部２５が弾性変形して割り溝２２が拡開される。このとき、軸孔２１全体と軸４１とはすき間ばめ程度のはめ合いとなっている。
【００３４】
図３は、図２に示した割り溝２２の拡開を解除して軸を仮固定する工程を示している。割り溝２２の拡開の解除は、図５に示した状態から、押しねじ３２を取り外してピン部材３１に対する押圧を解除することにより行われる。その後、ピン部材３１は挿入孔２６から抜き出される。こうして拡開が解除されると、軸固定部２５の復元力により軸孔が縮径され、軸固定部２５における軸孔の少なくとも一部が、挿入された軸４１と密接した状態（仮固定状態）となる。この密接の度合は、人の手で軸４１を動かす（即ち、ハンマやハンドプレス等を使用せずに軸４１を動かす）のが難しい程度とすることが好ましい。
【００３５】
図４は、図３に示した仮固定状態の軸４１を締結用ボルト４３によって固定する工程を示している。このとき、図６の断面図に示すように、締結用ボルト４３が、押しねじ３２を取り外した後の締結用ねじ孔２４に螺入され、割り溝２２の締め付けが行われる。これにより、軸孔２１が縮径されて軸４１がより強固に固定され、軸継手１に軸４１を固定する一連の工程が完了する。この場合、初期（締結用ボルト４３による割り溝２２の締め付け前）の隙間が生じていないため、締結用ボルト４３の締め付け力による部材の弾性変形が軸心のずれに及ぼす影響も抑制することができるという利点がある。
【００３６】
ここで、ハブ２ａに設けられた２つのスリット２３は割り溝２２を挟み込むように配置されているため、締結用ボルト４３の締め付けを同時に行わない場合（片方ずつ行った場合）でも軸４１の軸心のずれを非常に小さく抑えることができるという利点がある。即ち、このようなスリット２３の構成では、締結用ボルト４３で締め付けた際の割り溝２２の変形が小さいので、一方の締結用ボルト４３を締め付けた後の軸４１の軸心のずれも小さくなる。続いて、他方の締結用ボルト４３を締め付けることでその軸心のずれを解消する方向に軸４１が戻されるので、最終的な軸心のずれは非常に小さくなる。この場合、初期の軸孔２１と軸４１との隙間が殆ど生じていないため、締結用ボルト４３で締め付けた際の割り溝２２の変形が小さいことは軸４１の締め付けに悪影響を及ぼさない。
【００３７】
次に、上記軸継手１の製造方法に関し、その主要部をなすハブの軸孔の切削工程の概要について説明する。
【００３８】
図７は、ハブの軸孔の切削加工に用いる加工治具の斜視図であり、図８は、加工治具にハブを取り付ける様子を示す図であり、図９は、加工治具にハブが取り付けられた状態を示す図である。
【００３９】
図７に示すように、加工治具５１は、その端面から突出する凸状に設けられた２つの取付部５２を有する。ハブ２ａ（厳密にはハブ２ａの中間製品）を加工治具５１に取り付ける場合、図８に示すように、取付ボルト５３を加工治具５１の取付穴５４に通して、ハブ２ａの連結用ねじ孔１３ａに螺合させることで、図９に示すように、ハブ２ａの端面を取付部５２の上面５２ａに密接させた状態で固定する。取付ボルト５３の締め付けは開口５５を介して行うことができる。この場合、取付ボルト５３の胴部の外周面及び取付穴５４の内周面を精度よく加工して、ハブ２ａを加工治具５１に精度良く固定する必要がある。ここで、ハブ２ａの中間製品には、取り付け対象となる軸の外径以下の第１の直径を有する下孔２１’が形成されている。
【００４０】
ハブ２ａの軸孔の切削工程では、図９に示したように、予め製作したハブ２ａの中間製品を加工治具５１に取り付け、割り溝２２を図１に示した場合と同様に拡開した状態で、下孔２１’の内周面を取り付け対象となる軸の外径より大きな第２の直径に切削加工する。この第２の直径の切削加工は、例えば、汎用のＣＮＣ旋盤を用いて軸孔をＨ７の公差で仕上げ加工することで実施することができる。
【００４１】
上記切削工程におけるハブ２ａの割り溝２２の拡開は、完成後のハブ２ａの軸孔２１に軸を挿入して割り溝の拡開を解除した場合に、軸固定部２５における軸孔の内周面を軸の外周面に密接させる必要があることを考慮して実施する必要がある。従って、割り溝２２の拡開は、下孔２１’の拡径量が、上記第２の直径と軸の外径との差以上となるように実施する。例えば、上述のように、第２の直径の切削加工をＨ７の公差で実施した場合、その公差よりも大きく（例えば、公差の３倍程度に）下孔２１’の拡径量を決定することができる。
【００４２】
なお、割り溝２２の拡開の程度は、割り溝２２の幅を実測することで確認することができるが、予め拡開の程度に対応した押しねじの締め付けトルクを調査しておくことで、締め付けトルクの設定のみで拡開の程度を容易に調節することが可能となる。
【００４３】
本発明を特定の実施形態に基づいて詳細に説明したが、これらの実施形態はあくまでも例示であって本発明はこれらの実施形態によって限定されるものではない。例えば、本発明に係る軸継手を構成するハブは、上述のような軸孔を挟み込んで直径方向に連なるように設けられた２つの割り溝の一方を省略して、Ｃ型クランプ方式とすることもできる。その場合、実施形態に示したものに比べて割り溝の締め付けの均一性に劣るが、構造が簡略化され、締め付け作業も容易となるという利点がある。
【産業上の利用可能性】
【００４４】
本発明に係る軸継手並びにその固定方法及び製造方法は、ハブを軸に取り付ける際に、はめ合い公差による隙間の影響を排除して軸心のずれを防止可能とするので、２軸を連結して駆動側から従動側へ動力を伝達する軸継手並びにその固定方法及び製造方法として有用である。
【図面の簡単な説明】
【００４５】
【図１】本発明に係る軸継手の分解斜視図
【図２】軸継手に軸を固定する工程を示す図
【図３】軸継手に軸を固定する工程を示す図
【図４】軸継手に軸を固定する工程を示す図
【図５】ハブの割り溝を拡開した状態を示す断面図
【図６】ハブの割り溝を締め付けて縮小した状態を示す断面図
【図７】ハブの軸孔の切削加工に用いる加工治具の斜視図
【図８】加工治具にハブを取り付ける様子を示す図
【図９】加工治具にハブが取り付けられた状態を示す図
【符号の説明】
【００４６】
１  軸継手
２ａ，２ｂ  ハブ
３  板ばね
１３ａ，１３ｂ  連結用ねじ孔
２１  軸孔
２１’  下孔
２２  割り溝
２４  締結用ねじ孔
２５  軸固定部
３１  ピン部材（間断部材）
３２  押しねじ（押圧部材）
４１  軸
４３  締結用ボルト（締結部材）
５１  加工治具
【図１】
0004890397.tif 000002
【図２】
0004890397.tif 000003
【図３】
0004890397.tif 000004
【図４】
0004890397.tif 000005
【図５】
0004890397.tif 000006
【図６】
0004890397.tif 000007
【図７】
0004890397.tif 000008
【図８】
0004890397.tif 000009
【図９】
0004890397.tif 000010